(57)【要約】【課題】噴出ポンプのパイプを床等に触れないようにして内容物を詰め替えることができる、簡易な構成の噴出ポンプを提供する。【解決手段】噴出ポンプ１０は、内容物を収納する容器体の上部に着脱可能であって、容器体の上部の開口部に挿入されるパイプと、パイプの上端に設けられ、パイプから内容物を吸い上げるポンプ機構１２とを備える。ポンプ機構１２はその上部に、ポンプ機構１２に対して出没可能な突出部１４を有する。噴出ポンプ１０は、突出部１４をポンプ機構１２に対して突出させた状態で、ポンプ機構１２の上端部１３ａを鉛直下方向に向けて任意の面Ｇに倒立させて配置されると、ポンプ機構１２の上端部１３ａと突出部１４とが面Ｇに接して自立する。【選択図】図２
2019182470.tif 000002
【特許請求の範囲】
【請求項１】
内容物を収納する容器体の上部に着脱可能な噴出ポンプであって、
前記容器体の上部の開口部に挿入されるパイプと、
前記パイプの上端に設けられ、前記パイプから前記内容物を吸い上げるポンプ機構とを備え、
前記ポンプ機構はその上部に、前記ポンプ機構に対して出没可能な突出部を有し、
前記噴出ポンプは、前記突出部を前記ポンプ機構に対して突出させた状態で、前記ポンプ機構の上端部を鉛直下方向に向けて任意の面に倒立させて配置されると、前記ポンプ機構の前記上端部と前記突出部とが前記面に接して自立することを特徴とする噴出ポンプ。
【請求項２】
前記突出部は、前記ポンプ機構の上部に回転軸により連結されて、前記回転軸を中心に回転移動することにより、前記ポンプ機構の上部に対して出没することを特徴とする請求項１に記載の噴出ポンプ。
【請求項３】
前記回転軸は、前記パイプの軸方向に対して、直交することを特徴とする請求項２に記載の噴出ポンプ。
【請求項４】
前記突出部は、前記パイプの軸方向に対して平行な前記回転軸を中心に回転することにより、前記ポンプ機構の上部に対して出没することを特徴とする請求項２に記載の噴出ポンプ。
【請求項５】
前記ポンプ機構の上部には案内溝が設けられ、前記突出部は、前記案内溝に沿って移動することにより、前記ポンプ機構の上部に対して出没することを特徴とする請求項１に記載の噴出ポンプ。
【請求項６】
前記突出部は、前記ポンプ機構に対して突出していない状態において、前記ポンプ機構の上部の輪郭の一部を形成していることを特徴とする請求項１〜５のいずれか１項に記載の噴出ポンプ。
【請求項７】
前記ポンプ機構の上部には、内容物を噴出するノズルが、前記パイプの軸方向に直交する方向に突設されており、
前記突出部は、前記ノズルが前記ポンプ機構の上部に突設された方向に対して、反対方向に出没することを特徴とする請求項６に記載の噴出ポンプ。
【請求項８】
前記突出部が前記ポンプ機構の上部から突出した状態で、前記噴出ポンプを倒立させて前記面に配置した場合、前記ポンプ機構の上部が前記面に接する第１領域の面積と、前記突出部が前記面に接する第２領域の面積と、前記第１領域と前記第２領域で挟まれた領域の面積との合計面積は、前記突出部が前記ポンプ機構の上部から突出しない状態で前記噴出ポンプを倒立させて前記面に配置した場合の、前記ポンプ機構の上部が前記面に接する面積より大きいことを特徴とする請求項１〜７のいずれか１項に記載の噴出ポンプ。
【請求項９】
内容物を収納する容器体と、
容器体の上部に着脱可能な請求項１〜８のいずれか１項に記載の噴出ポンプを備えることを特徴とする噴出容器。
【発明の詳細な説明】
【技術分野】
【０００１】
本発明は、容器内に収容された内容物を噴出する噴出ポンプに関する。
【背景技術】
【０００２】
シャンプーやリンス、洗剤等の液剤を噴出する噴出容器として、内容物（液剤）を収納する容器体の、上部の開口部に噴出ポンプが装着されたものが、一般に使用されている。噴出ポンプは、容器体内で内容物を吸い上げるパイプと、パイプ上端に設けられてパイプから内容物を吸い上げるポンプ機構とから構成される。
【０００３】
このような噴出容器を使用するユーザは、容器体内の内容物が無くなると、噴出容器ごと交換するのではなく詰め替え袋から内容物を容器体内に補充することがある。このとき一般に、ユーザは、噴出ポンプを容器体から取り外して床等の任意の面に置いてから、内容物を詰め替える作業を行う。
【０００４】
しかし、噴出ポンプが床等に置かれるとパイプの先端（下端）が床等に触れ、パイプ内に溜まっていた内容物が床等に流れ出すという問題がある。パイプが床等に触れないようにユーザがポンプ機構の上端部を下に向けて倒立させて置こうとしても、噴出ポンプは不安定なために倒れやすく、パイプが床等に触れてしまう可能性がある。
【０００５】
内容物の詰め替え時にパイプが床等と触れない容器として、例えば、噴出ポンプが取り付けられた容器体の上部が、ヒンジにより容器体の下部と連結されている噴出容器が提案されている（特許文献１）。また、特許文献２には、噴出ポンプのパイプが屈曲されており、内容物の詰め替え時に、パイプが容器体の開口部に係止される噴出ポンプが開示されている。
【０００６】
一方、特許文献３には、噴出ポンプのパイプと共に容器体の開口部に差し込んで詰め替え袋の内容物を容器体内に注ぎ込む際に使用するじょうごが開示されている。
【先行技術文献】
【特許文献】
【０００７】
【特許文献１】特開２００８−１００６９９号公報
【特許文献２】特開２０１６−６０５４１号公報
【特許文献３】特開２０１２−８２００８号公報
【発明の概要】
【発明が解決しようとする課題】
【０００８】
特許文献１の容器では、容器体の上部をヒンジによって開いた状態で固定するため、容器体の構造が複雑化する。また、特許文献２の噴出ポンプは、パイプの屈曲部分に内容物が詰まったり、パイプを容器体の開口部に係止した際に、パイプの外周に付着していた内容物が開口部から容器体の外周に付着したりする可能性がある。さらに特許文献３のじょうごは、噴出ポンプを床等に置く必要はないが、じょうごが使用後に床等に置かれることが考えられ、じょうごに付着した内容物が床に流れ出す可能性がある。
【０００９】
本発明の目的は、噴出ポンプのパイプを床等に触れないようにして内容物を詰め替えることができる、簡易な構成の噴出ポンプを提供することである。
【課題を解決するための手段】
【００１０】
上記目的を達成するために、本発明の噴出ポンプは、内容物を収納する容器体の上部に着脱可能な噴出ポンプであって、容器体の上部の開口部に挿入されるパイプと、パイプの上端に設けられ、パイプから内容物を吸い上げるポンプ機構とを備え、ポンプ機構はその上部に、ポンプ機構に対して出没可能な突出部を有し、噴出ポンプは、突出部をポンプ機構に対して突出させた状態で、ポンプ機構の上端部を鉛直下方向に向けて任意の面に倒立させて配置されると、ポンプ機構の上端部と突出部とが上記面に接して自立することを特徴とする。
【発明の効果】
【００１１】
本発明は、ポンプ機構の上部に突出部を設けた簡易な構成である。また、噴出ポンプは、突出部をポンプ機構に対して突出させた状態で、任意の面に倒立させて配置されると自立するため、ユーザは、パイプを面に触れさせないように保ちながら、容器体の内容物の詰め替えることができる。
【図面の簡単な説明】
【００１２】
【図１】（ａ）噴出容器２０の切り欠き断面図、（ｂ）噴出ポンプ１０の平面図。
【図２】実施形態１の噴出ポンプ１０Ａの（ａ）側面図、（ｂ）平面図。
【図３】実施形態２の噴出ポンプ１０Ｂの（ａ）切り欠き断面図、（ｂ）平面図。
【図４】実施形態３の噴出ポンプ１０Ｃの（ａ）側面図、（ｂ）平面図、（ｃ）Ａ−Ａ断面図、（ｄ）突出部１４の変形例の平面図。
【図５】（ａ）〜（ｂ）実施形態４の噴出ポンプ１０Ｄの平面図。
【図６】実施形態５の噴出ポンプ１０Ｅの（ａ）側面図、（ｂ）平面図。
【発明を実施するための形態】
【００１３】
以下、本発明の一実施の形態の噴出容器について説明する。
【００１４】
図１（ａ）は、実施形態の噴出容器２０の切り欠き断面図、図１（ｂ）は、噴出ポンプ１０を上から見た平面図である。図２（ａ）は、噴出ポンプ１０を床等の任意の面Ｇに置いた側面図、図２（ｂ）は、噴出ポンプ１０を上から見た平面図である。なお、図１は、突出部１４がポンプ機構１２に対して突出していない状態を示し、図２は、突出部１４をポンプ機構１２の上部から突出させた状態を示している。以下の説明において、上下方向は、噴出容器２０が使用される形態での方向とは関係なく、容器体２１の底部を下側、容器体２１に噴出ポンプ１０が取り付けられている側を上側という。
【００１５】
図１に示すように、本実施形態の噴出ポンプ１０は、内容物を収納する容器体２１の上部に着脱可能であって、容器体２１の上部の開口部２２に挿入されるパイプ１１と、パイプ１１の上端に設けられ、パイプ１１から内容物を吸い上げるポンプ機構１２とを備える。ポンプ機構１２はその上部に、ポンプ機構１２に対して出没可能な突出部１４を有する。図２に示すように、噴出ポンプ１０は、突出部１４をポンプ機構１２に対して突出させた状態で、ポンプ機構１２の上端部１３ａを鉛直下方向に向けて任意の面Ｇに倒立させて配置されると、ポンプ機構１２の上端部１３ａと突出部１４とが面Ｇに接して自立する。
【００１６】
噴出ポンプ１０は、ポンプ機構１２に突出部１４を設けた簡易な構成である。
また、噴出ポンプ１０は、突出部１４をポンプ機構１２に対して突出させた状態で、任意の面Ｇに倒立させて配置されると自立するため、ユーザは、パイプ１１を面Ｇに触れさせないように保ちながら、容器体２１の内容物の詰め替えることができる。
以下、具体的な実施形態について説明する。
【００１７】
図１に示すように、ポンプ機構１２の上部には、内容物を噴出するノズル１３ｂが、パイプ１１の軸方向に直交する方向に突設されている。また、ポンプ機構１２はその上端に、ユーザが操作することによりポンプ機構１２を作動させる操作部１３（押しボタン、レバー等）を有する。ユーザが操作部１３を操作するとポンプ機構１２が作動して、容器体２１内の内容物をパイプ１１内で吸い上げ、ノズル１３ｂから噴出させる。
【００１８】
突起部１４が突出していない状態で噴出ポンプ１０を倒立させようとすると、ノズル１３ｂがポンプ機構１２の上部に突設された方向とは反対側に倒れやすい。よって、突出部１４は、ノズル１３ｂが突設された方向に対して、反対方向に出没可能に構成されていることが好ましい。すなわち、突起部１４は、突出していない状態で噴出ポンプ１０を倒立させた際に噴出ポンプ１０が倒れる方向に、突出可能であることが好ましい。
【００１９】
突出部１４は、ポンプ機構１２に対して突出していない状態では、ポンプ機構１２の上部の輪郭の一部を形成している。このように突出部１４がポンプ機構１２に対して突出していない状態で、突出部１４の表面とポンプ機構１２の上部の表面とが連続して滑らかであることにより、この状態でポンプ機構１２の上部と突出部１４の境界にゴミが溜まりにくい。また、ポンプ機構１２の上部が操作部１３を構成している場合、突出部１４が操作部１３に対して突出していない状態で操作部１３の上部の輪郭の一部を形成することにより、突出部１４は、ユーザの操作部１３を押す操作を妨げない。
【００２０】
ポンプ機構１２の外周は、その下端がパイプ１１の上端に連結された円筒１２ａによって覆われている。円筒１２ａの外周部には、容器体２１の開口部２２のネジが螺挿されるキャップ１２ｂが設けられている。
【００２１】
ポンプ機構１２は、不図示の噴出弁を有した、容器体２１内の内容物を吸い上げるための種々の機構であってよい。本例のポンプ機構１２は、ユーザが操作部１３を操作すると噴出弁が開くことにより内容物が噴出し、操作部１３の操作を解除すると、パイプ１１内で内容物が吸い上げられる。
【００２２】
（噴出ポンプ１０の動作例）
続いて、噴出ポンプ１０の動作例を図１、２を用いて説明する。
【００２３】
まず、内容物の詰め替え作業の手順について簡単に説明する。ユーザは、突出部１４をポンプ機構１２の上部から突出した状態に移動させる。次にユーザは、容器体２１から噴出ポンプ１０を取り外す。具体的には、ユーザは、キャップ１２ｂを容器体２１の開口部２２に対して回転させて取り外し、パイプ１１を、開口部２２を通して容器体２１内から取り出す。そしてユーザは、噴出ポンプ１０を、ポンプ機構１２の上端部１３ａが鉛直下方向に向くように任意の面Ｇに倒立させて配置する。これにより、噴出ポンプ１０は、ポンプ機構１２の上端部１３ａと突出部１４とが面Ｇに接して自立する。なお、ユーザは、噴出ポンプ１０を面Ｇに置く前であれば、噴出ポンプ１０を容器体２１から取り外した後に、突出部１４をポンプ機構１２の上部から突出した状態に移動させてもよい。
【００２４】
ユーザは、噴出ポンプ１０を面Ｇに倒立させて置いた後、詰め替え袋などに収納された内容物を容器体２１内に注ぎ入れる。次に、ユーザは、容器体２１に噴出ポンプ１０を取り付ける。続いてユーザは、突出部１４をポンプ機構１２の上部から突出していない状態に移動させる。
【００２５】
もし図１（ａ）に示すように、突出部１４がポンプ機構１２の上部から突出していない状態で、ユーザが、噴出ポンプ１０を倒立させて床等の任意の面に配置した場合、ポンプ機構１２が床等に接する面積は、図１（ｂ）に示すように、ポンプ機構１２の上部が床等に接する領域Ｒ１の面積だけである。そのため、噴出ポンプ１０が安定せず、倒れる可能性がある。
【００２６】
一方、図２（ａ）、（ｂ）に示すように、ユーザが突出部１４を、ポンプ機構１２の上部から突出した状態で、噴出ポンプ１０を倒立させて床等の面Ｇに配置すると、ポンプ機構１２の上端部１３ａと突出部１４が面Ｇに接する。このとき、ポンプ機構１２の上部が面Ｇに接する第１領域ｒ１の面積と、突出部１４が面Ｇに接する第２領域ｒ２の面積と、第１領域ｒ１と第２領域ｒ２で挟まれた領域ｒ３の面積との合計面積は、領域Ｒ２の面積になる。領域Ｒ２は、領域Ｒ１よりも大きいため、突出部１４がポンプ機構１２の上部から突出させた状態では、突出部１４がポンプ機構１２の上部から突出していない状態よりも、噴出ポンプ１０を面Ｇ上で支える面積が大きくなる。これにより、ユーザは、噴出ポンプ１０を安定して自立させることができる。
【００２７】
このように本実施形態の噴出ポンプ１０は、倒立した状態で安定するため、内容物の詰め替え時にパイプ１１が面Ｇに触れない。そのため、パイプ１１内に溜まっていた内容物が床等に流れ出すことを防ぐことができる。
【００２８】
この効果は、ユーザが突出部１４をポンプ機構１２の上部から突出させてから、従来の詰め替え時と同様に噴出ポンプ１０を倒立させて置くだけで得られるため、内容物を詰め替える手順が簡単である。
【００２９】
また、ユーザは、噴出ポンプ１０を容器体２１から取り外した状態で詰め替え作業を行えるため、内容物の詰め替え時に、開口部２２内に内容物の流入を遮るものがなく、内容物が容器体２１の外にあふれることを防ぐことができる。
【００３０】
さらにパイプ１１の外周部に内容物が付着していても、ユーザが容器体２１から噴出ポンプ１０を外して倒立させ、面Ｇに置くと、付着していた内容物はキャップ１２ｂ内に落ちる。そのため、内容物をキャップ１２ｂの外周や操作部１３などユーザが触れる箇所に付着させずに詰め替えることができる。よって、ユーザの手に内容物が付着したり、ユーザの手に付着した内容物が容器体２１内に戻ったりすることを防止できる。
【００３１】
（噴出容器２０の全体構成）
続いて、噴出容器２０の全体構成について説明する。噴出容器２０は、容器体２１と、容器体２１の上部の開口部２２に取り付けられる噴出ポンプ１０とを備える。
【００３２】
容器体２１は、上下方向に伸びる中心軸を中心とした回転体である。容器体２１を構成する各部品は、内容物によって侵されない材料であれば、一般的な容器に用いられるプラスチック、ガラス、ゴム、金属、セラミックス等の材料から用途に合わせて任意の材料を選択して用いることができる。また、容器体２１の内容物は、所望の液体である。
【００３３】
開口部２２は、容器体２１の中心軸上に設けられた円筒であり、その外周面には、ネジが切られている。この開口部２２のネジが、噴出ポンプ１０のキャップ１２ｂに設けられたネジ孔に螺挿されることにより、容器体２１に噴出ポンプ１０が取り付けられている。開口部２２のネジに沿ってキャップ１２ｂを回転させると、噴出ポンプ１０を容器体２１に対して着脱できる。
続いて、各実施形態の噴出ポンプ１０の詳細について説明する。
【００３４】
（実施形態１の噴出ポンプ１０Ａ）
図１を用いて、実施形態１の噴出ポンプ１０Ａについて説明する。
図１（ａ）に示すように、ポンプ機構１２の上部には、操作部１３が設けられている。操作部１３は、上端部１３ａが円形であり、上部の円板部の外周に円筒が固定されたボタン型をしている。なお、上端部１３ａは、中心部から外周部にかけてやや丸みを帯びた円状でもよい。
【００３５】
突出部１４は、操作部１３の一部が切り欠かれた部材が、その切り欠かれた箇所に収納された形状をしていて、操作部１３からノズル１３ｂが突設された方向と反対側に設けられている。
【００３６】
図１（ｂ）に示すように、突出部１４をポンプ機構１２の操作部１３に収納した状態で上から見た形状は、略長方形である。突出部１４のノズル１３ｂ側の端部１４ｂは、この長方形の１辺を形成しており、ノズル１３ｂが突設された方向に対して直交している。突出部１４の端部１４ｂに向かい合う辺は、回転軸１４ａにより、ポンプ機構１２に回転可能に固定されている。
【００３７】
突出部１４は、ポンプ機構１２の上部（操作部１３）に回転軸１４ａにより連結されている。突出部１４は、回転軸１４ａを中心に回転移動することにより、操作部１３に対して出没する。回転軸１４ａは、突出部１４の円弧状部分の近傍を貫通している。回転軸１４ａの両端は、操作部１３の内部に固定されている。回転軸１４ａは、パイプ１１の軸方向に対して直交している。図１（ａ）の矢印Ａ１に示すように、突出部１４は、回転軸１４ａを中心に、回転軸１４ａから最も遠い端部１４ｂが回転軸１４ａの上方（パイプ１１の反対側）を通るようにして回転し、操作部１３の外周部より突出した状態になる（図２）。
【００３８】
図１（ｂ）に示すように、突出部１４の上面の端部１４ｂの近傍には、ユーザが突出部１４を移動させる際に指や爪等を掛けるための、指掛け部１４ｃが凹状に設けられている。指掛け部１４ｃは凹状に限られず、突出部１４の上面から突出して設けられていてもよいし、孔になっていてもよい。
【００３９】
噴出ポンプ１０Ａの各部材には、ポリプロピレン、ポリエチレン、ポリアセタール等の樹脂などが使用される。
【００４０】
突出部１４を製造する際は、まず、従来の操作部１３の一部を切り欠き、その切り欠いた部材に回転軸１４ａを通す。そして、操作部１３の切り欠かれた箇所に、回転軸１４ａを通した突出部１４を、回転軸１４ａを中心に回転可能に収納させる。これにより突出部１４を製造できる。そのため、噴出ポンプ１０Ａの製造は容易である。
【００４１】
なお、突出部１４は、ノズル１３ｂの突設された方向とは反対側の操作部１３に設けられている例に限られず、操作部１３の外周部に複数設けられていてもよい。突出部１４が複数設けられている場合、ノズル１３ｂと複数の突出部１４が、操作部１３の外周を均等に分ける位置に配置されていると、噴出ポンプ１０Ａは、より安定して倒立する。
【００４２】
なお、領域Ｒ２が領域Ｒ１よりも大きくなるように、突出部１４が操作部１３の外周部より突出可能であれば、突出部１４の形状や回転軸１４ａの位置は、上述した例に限られない。例えば、回転軸１４ａは操作部１３よりも外周側に状態で設けられていてもよい。また、突出部１４が操作部１３の外周部より突出した状態で突出部１４がそれ以上回転しないように規制する、ストッパーが回転軸１４ａに設けられてもよい。
【００４３】
（実施形態２の噴出ポンプ１０Ｂ）
続いて、実施形態２の噴出ポンプ１０Ｂを図３を用いて説明する。図３は、噴出ポンプ１０Ｂの（ａ）切り欠き断面図、（ｂ）上から見た平面図である。なお、図３（ａ）は、突出部１４が操作部１３の外周部より突出した状態を示し、図３（ｂ）は、突出部１４が操作部１３の外周部より突出していない状態を示している。以下の実施形態２〜４の噴出ポンプでは、その噴出ポンプより前で述べた噴出ポンプと異なる構成を中心に説明する。噴出ポンプ１０Ｂは、実施形態１の噴出ポンプ１０Ａに対して、突出部１４が収納される位置が異なっている。
【００４４】
本例の突出部１４は、ノズル１３ｂの突設された方向とは反対側の操作部１３の端部１４ｄに設けられている。突出部１４は、端部１４ｄにおいて操作部１３の側面周辺を上下方向に切り欠いた形状をしており、その切り欠かれた形状の操作部１３の部分に収納されている。なお、本例の突出部１４も、複数設けられていてもよい。
【００４５】
回転軸１４ａは、突出部１４の上部に設けられている。矢印Ａ２に示すように、突出部１４は、回転軸１４ａを中心に、回転軸１４ａから最も遠い端部１４ｅが回転軸１４ａの下方（パイプ１１側）を通るように回転して、操作部１３の外周部より突出した状態となる。
【００４６】
本例の突出部１４は、ユーザが操作部１３の端部１４ｅに指や爪を掛ければ、容易に回転するため、指掛け部が不要である。
【００４７】
（実施形態３の噴出ポンプ１０Ｃ）
実施形態３の噴出ポンプ１０Ｃを図４を用いて説明する。図４は、噴出ポンプ１０Ｃの（ａ）側面図、（ｂ）上から見た平面図、（ｃ）Ａ−Ａ断面図、（ｄ）突出部１４の変形例を上から見た平面図である。なお、図４（ａ）は、突出部１４が操作部１３の外周部より突出した状態を示し、図４（ｂ）、（ｄ）は、突出部１４が操作部１３の外周部より突出していない状態を示している。本例の噴出ポンプ１０Ｃは、突出部１４が案内溝１３ｃに沿って移動することにより、ポンプ機構１２の上部に対して出没する。
【００４８】
本例の突出部１４は、実施形態１の噴出ポンプ１０Ａの突出部１４と類似した形状である。ポンプ機構１２の上面は、切り欠かれた形状であり、ノズル１３ｂの突設方向に平行な長手方向を有する案内溝１３ｃが設けられている。
【００４９】
図４（ｃ）に示すように、案内溝１３ｃは、２つの凸部を上下に並べて配置した構造である。突出部１４側にも、案内溝１３ｃに対応する形状の凹凸部が設けられている。そのため突出部１４は、この凹凸部が案内溝１３ｃに挿入されて案内されながら移動する。また、案内溝１３ｃは、ノズル１３ｂの突設された方向と平行な長溝であるため、突出部１４は、ノズル１３ｂの突設された方向に対して平行に移動することにより、ポンプ機構１２の上部に対して出没する。
【００５０】
なお、突出部１４は、図４（ｄ）に示すように、複数設けられていてもよい。突出部１４が複数設けられている場合、突出部１４の移動方向は上述した例に限らず、複数の突出部１４が互いに離れる方向に移動して操作部１３から突出し、近づく方向に移動して操作部１３に収納される構造であってもよい。また、案内溝１３ｃの形状は、上述した例に限られない。さらに、案内溝１３ｃには、突出部１４が操作部１３の外周部より突出した状態で、突出部１４がそれ以上移動しないように規制するストッパーが設けられていてもよい。
【００５１】
（実施形態４の噴出ポンプ１０Ｄ）
実施形態４の噴出ポンプ１０Ｄを図５を用いて説明する。図５（ａ）、（ｂ）は、噴出ポンプ１０Ｄを上から見た平面図である。なお、図５（ａ）は、突出部１４が操作部１３の外周部より突出していない状態を示し、図５（ｂ）は、突出部１４が操作部１３の外周部より突出した状態を示している。噴出ポンプ１０Ｄにおいて、突出部１４は、パイプ１１の軸方向（図１（ａ）等参照）に対して平行な回転軸１４ａを中心に回転することにより、ポンプ機構１２の上部に対して出没する。
【００５２】
本例の突出部１４は、操作部１３の上端部１３ａの一部を切り欠いた形状の板部材であり、上端部１３ａと同じ径を有する略半円形をしている。突出部１４は、略半円形の直径部分がノズル１３の突出方向に対して斜めになるように配置されている。
【００５３】
回転軸１４ａはパイプ１１の軸方向に平行に設けられていて、回転軸１４ａの上端には突出部１４が回転可能に固定され、回転軸１４ａの下端は操作部１３に固定されている。
【００５４】
本例の指掛け部１４ｃは、複数の凸部から構成され、操作部１３をユーザが触ることにより内容物を判別できる凸部としても利用できる。
【００５５】
図５（ａ）の矢印Ａ３方向に示すように、ユーザが突出部１４を回転移動させると、図５（ｂ）に示すように、突出部１４は、上端部１３ａと平行な面上で、パイプ１１の軸方向に対して、直交する面内で回転し、ポンプ機構１２からノズル１３ｂの突設された方向の反対側に突出する。
【００５６】
（実施形態５の噴出ポンプ１０Ｅ）
突出部１４は、上述のようにボタン型のポンプ機構１２に限らず、あらゆる形状のポンプ機構１２に設けられてもよい。例えば、図６の実施形態５の噴出ポンプ１０Ｅに示すように、ノズル１３ｂの近傍にレバー１３ｄからなる操作部１３が設けられており、レバー１３ｄを引くとノズル１３ｂから内容物が噴出される構成のポンプ機構１２の上部に、突出部１４が設けられていてもよい。この場合、ポンプ機構１２の上部の、ノズル１３ｂやレバー１３ｄが設けられているのと反対側に突出部１４が設けられていることが好ましい。
【符号の説明】
【００５７】
１０…噴出ポンプ、１１…パイプ、１２…ポンプ機構、１３…操作部、１４…突出部、１４ａ…回転軸、２０…噴出容器、２１…容器体、２２…開口部
【図１】
2019182470.tif 000003
【図２】
2019182470.tif 000004
【図３】
2019182470.tif 000005
【図４】
2019182470.tif 000006
【図５】
2019182470.tif 000007
【図６】
2019182470.tif 000008